(57)【要約】【課題】第一可動体と第二可動体とに対して正確な位置制御を実行できる遊技機を提供する。【解決手段】パチンコ機は、右昇降モータ、右ラック１０５、右昇降体１０２、下被検知物１０７、上被検知物１０４、右落下センサ１２６、及び右上昇センサ１２５を備える。右ラック１０５は、右昇降モータの駆動力で、右昇降体１０２を上方に押し上げることが可能である。下被検知物１０７は右ラック１０５に設けられ、上被検知物１０４は右昇降体１０２に設けられる。右ラック１０５と右昇降体１０２が一体的に上方に移動すると、下被検知物１０７は右落下センサ１２６の下検知領域に進入すると共に、上被検知物１０４は、下検知領域を通過して右上昇センサ１２５の上検知領域に進入する。パチンコ機のＣＰＵは、右落下センサ１２６と右上昇センサ１２５の検知結果に応じて、右昇降モータを駆動制御する。【選択図】図１１
2019122431.tif 000002
【特許請求の範囲】
【請求項１】
支持体に設けられた駆動手段の駆動力で動作する第一可動体と、
前記支持体に設けられ、前記第一可動体に直接的又は間接的に付勢されて動作する第一動作と、前記第一可動体側に向けて付勢されて前記第一可動体に対して相対的に動作する第二動作とを実行する第二可動体と、
前記支持体と前記第一可動体のいずれか一方に設けられた被検知物である第一被検知物と、
前記支持体と前記第一可動体のいずれか他方に設けられ、前記第一可動体の動作に伴い前記第一被検知物に対して相対変位する手段であって、前記第一被検知物が進入する第一検知領域を有する第一検知手段と、
前記支持体と前記第二可動体のいずれか一方に設けられた被検知物である第二被検知物と、
前記支持体と前記第二可動体のいずれか他方に設けられ、前記第二可動体の動作に伴い前記第二被検知物に対して相対変位する手段であって、前記第二被検知物が進入する第二検知領域を有する第二検知手段と、
前記第一検知手段と前記第二検知手段の検知結果に応じて前記駆動手段を駆動制御する制御手段と
を備えることを特徴とする遊技機。
【請求項２】
前記第二被検知物は、第二検知領域を通過可能であることを特徴とする請求項１に記載の遊技機。
【請求項３】
前記第二被検知物は、前記第二可動体の動作に伴い前記第一検知手段に対して相対変位して前記第一所定範囲を通過可能であり、
前記第一検知手段は、前記第一所定範囲に進入した前記第二被検知物を被検知物として検知することを特徴とする請求項１又は２に記載の遊技機。
【請求項４】
前記第二可動体の動作を規制するロック位置と、前記第二可動体の動作を許容するロック解除位置との間で移動するロック部材と、
前記ロック部材を前記ロック位置と前記ロック解除位置との間で移動するロック駆動手段と
を備え、
前記制御手段は、前記第一検知手段と前記第二検知手段の検知結果に基づき前記ロック駆動手段を駆動制御し、
前記第一可動体は、前記ロック部材によって動作を規制された前記第二可動体から離間することを特徴とする請求項１から３のいずれかに記載の遊技機。
【請求項５】
前記第二可動体は、上側に移動する前記第一動作と、下側に移動する前記第二動作とを実行し、前記ロック位置にある前記ロック部材によって、前記第二動作を規制されることを特徴とする請求項４に記載の遊技機。
【発明の詳細な説明】
【技術分野】
【０００１】
本発明は、遊技機に関する。
【背景技術】
【０００２】
従来、複数の可動体を動作させる遊技機が知られている。例えば、特許文献１に開示される遊技機では、単一の電動モータの駆動力によって、三つの扉部材は左右方向に移動する。三つの扉部材の位置制御は、単一の検出手段であるフォトセンサの検出結果に基づき、実行される。
【先行技術文献】
【特許文献】
【０００３】
【特許文献１】特開２００８−２２０６９４号公報
【発明の概要】
【発明が解決しようとする課題】
【０００４】
上記遊技機は、三つの扉部材の位置制御を単一のフォトセンサの検出結果に基づき実行するので、各扉部材のそれぞれの位置制御が正確に実行されない虞がある。
【０００５】
本発明の目的は、第一可動体と第二可動体とに対して正確な位置制御を実行できる遊技機を提供することである。
【課題を解決するための手段】
【０００６】
本発明の遊技機は、支持体に設けられた駆動手段の駆動力で動作する第一可動体と、前記支持体に設けられ、前記第一可動体に直接的又は間接的に付勢されて動作する第一動作と、前記第一可動体側に向けて付勢されて前記第一可動体に対して相対的に動作する第二動作とを実行する第二可動体と、前記支持体と前記第一可動体のいずれか一方に設けられた被検知物である第一被検知物と、前記支持体と前記第一可動体のいずれか他方に設けられ、前記第一可動体の動作に伴い前記第一被検知物に対して相対変位する手段であって、前記第一被検知物が進入する第一検知領域を有する第一検知手段と、前記支持体と前記第二可動体のいずれか一方に設けられた被検知物である第二被検知物と、前記支持体と前記第二可動体のいずれか他方に設けられ、前記第二可動体の動作に伴い前記第二被検知物に対して相対変位する手段であって、前記第二被検知物が進入する第二検知領域を有する第二検知手段と、前記第一検知手段と前記第二検知手段の検知結果に応じて前記駆動手段を駆動制御する制御手段とを備えることを特徴とする。
【０００７】
上記構成によれば、第一可動体と第二可動体が夫々動作する場合でも、制御手段が、第一検知手段と第二検知手段の検知結果に基づいて駆動手段を制御するので、遊技機は、第一可動体と第二可動体とに対して正確な位置制御を実行できる。
【０００８】
前記遊技機において、前記第二被検知物は、第二検知領域を通過可能であってもよい。この場合、第二可動体の動作範囲を広くできる。
【０００９】
前記遊技機において、前記第二被検知物は、前記第二可動体の動作に伴い前記第一検知手段に対して相対変位して前記第一所定範囲を通過可能であり、前記第一検知手段は、前記第一所定範囲に進入した前記第二被検知物を被検知物として検知してもよい。第二被検知物の可動範囲の少なくとも一部が第一被検知物の可動範囲に含まれるので、遊技機はスペースの有効活用を実現できる。この場合、第一検知手段が、第一被検知物と第二被検知物のいずれをも被検知物として検知可能となるが、制御手段は、第一検知手段の検知結果に加えて第二検知手段の検知結果に基づき、駆動手段を駆動制御する。従って、遊技機は、スペースの有効活用を実現しつつ、第一可動体と第二可動体に対して正確な位置制御を実行できる。
【００１０】
前記遊技機は、前記第二可動体の動作を規制するロック位置と、前記第二可動体の動作を許容するロック解除位置との間で移動するロック部材と、前記ロック部材を前記ロック位置と前記ロック解除位置との間で移動するロック駆動手段とを備え、前記制御手段は、前記第一検知手段と前記第二検知手段の検知結果に基づき前記ロック駆動手段を駆動制御し、前記第一可動体は、前記ロック部材によって動作を規制された前記第二可動体から離間してもよい。この場合、ロック位置にあるロック部材が第二可動体の動作を規制することで、第一可動体と第二可動体の位置関係は、ずれる。この場合でも、制御手段が第一検知手段と第二検知手段の検知結果に基づき、駆動手段を駆動制御する。よって、遊技機は、第一可動体と第二可動体に対して正確な位置制御を実行できる。
【００１１】
前記遊技機において、前記第二可動体は、上側に移動する前記第一動作と、下側に移動する前記第二動作とを実行し、前記ロック位置にある前記ロック部材によって、前記第二動作を規制されてもよい。この場合、ロック部材によって第二動作を規制される第二可動体の上下位置がずれた場合であっても、遊技機は、第一可動体と第二可動体に対して正確な位置制御を実行できる。
【図面の簡単な説明】
【００１２】
【図１】パチンコ機１の正面図である。
【図２】遊技盤２の正面図である。
【図３】演出装置３０の正面図である。
【図４】前側からみた演出装置３０の斜視図である。
【図５】後側からみた演出装置３０の斜視図である（枠状筐体３３の図示省略）。
【図６】作動位置にある右装飾体３５を保持する右ロック機構１５０の斜視図である。
【図７】右装飾体３５が作動回転位置と初期回転位置の間にある演出装置３０の斜視図である（左装飾体３４等の図示省略）。
【図８】右回転機構８０の拡大斜視図である（右装飾体３５の一部省略）。
【図９】前側からみた右昇降機構１００の斜視図である。
【図１０】右ラック１０５が中間位置にあり、右昇降体１０２が作動位置にある右昇降機構１００の模式図である。
【図１１】右ラック１０５と右昇降体１０２の上下方向位置と、右昇降センサ１２４の検知状態との関係を示す模式図である。
【図１２】右ロック機構１５０の分解斜視図である。
【図１３】制御部２０の電気ブロック図である。
【図１４】演出装置３０の第一演出動作の流れを示す説明図。
【図１５】演出装置３０の第二演出動作の流れを示す説明図。
【図１６】右ラック１０５が中間位置にあり、右昇降体１０２が作動位置にある右昇降機構１００の模式図である。
【図１７】上端位置にある右装飾体３５を保持する右ロック機構１５０の斜視図である。
【図１８】右ラック１０５が最下位位置にあり、右昇降体１０２が上端位置にある右昇降機構１００の模式図である。
【図１９】右ラック１０５が最下位位置にあり、右昇降体１０２が下端位置にある右昇降機構１００の模式図である。
【図２０】右復帰処理のフローチャートである。
【図２１】右装飾体３５が初期状態に復帰する第一の流れを説明する説明図である。
【図２２】右回転復帰処理Ａのフローチャートである。
【図２３】右昇降復帰処理のフローチャートである。
【図２４】右回転復帰処理Ｂのフローチャートである。
【図２５】右直動復帰処理Ａのフローチャートである。
【図２６】右直動復帰処理Ｂのフローチャートである。
【図２７】右装飾体３５が初期状態に復帰する第二の流れを説明する説明図である。
【図２８】右装飾体３５が初期状態に復帰する第三の流れを説明する説明図である。
【図２９】右装飾体３５が初期状態に復帰する第四の流れを説明する説明図である。
【図３０】右装飾体３５が初期状態に復帰する第五の流れを説明する説明図である。
【図３１】右装飾体３５が初期状態に復帰する第六の流れを説明する説明図である。
【図３２】駆動機構２００の動作の流れを示す模式的な説明図である。
【発明を実施するための形態】
【００１３】
以下、本発明に係る遊技機の一実施の形態であるパチンコ機１について、図面を参照して説明する。
【００１４】
図１および図２を参照して、パチンコ機１の機械的構成について説明する。図１に示すように、パチンコ機１の上半分の部分には遊技盤２が設けられている。遊技盤２は略正方形であり（図２参照）、透明なガラス板を保持したガラス枠１３によって前面を保護されている。遊技盤２の下方部には、発射機に金属製の遊技球を供給し、且つ賞球を受ける上皿５が設けられている。上皿５の直下には、賞球を受ける下皿６が設けられている。下皿６の右横には、遊技球の発射を調整する発射ハンドル７が設けられている。ガラス枠１３の上部の左右の角にはスピーカ４８がそれぞれ設けられている。
【００１５】
図２に示すように、遊技盤２の前面には、ガイドレール３で囲まれた略円形の遊技領域４が形成されている。発射機によって発射された遊技球は、遊技領域４内を流下する。遊技領域４の略中央には、ＬＣＤ（液晶ディスプレイ）等で構成される画像表示装置２８の表示画面２８Ａが後方から露出可能な表示開口８が設けられる。画像表示装置２８は、遊技者が大量の賞球を獲得可能な大当たり遊技を生起するか否かの大当たり判定の結果を報知するためのデモ図柄を表示する。パチンコ機１は、複数（本実施形態では３つ）のデモ図柄を変動させた後に、大当たり判定の結果を示すデモ図柄の組合せを確定表示させる報知演出を実行することで、大当たり判定の結果を遊技者に報知する。
【００１６】
表示開口８の右側には、普通図柄始動ゲート１２が設けられる。遊技球が普通図柄始動ゲート１２を通過すると、普通当たり判定が行われる。普通図柄始動ゲート１２の下方には、略箱状に形成されたアタッカー装置２５が設けられている。アタッカー装置２５は、案内流路、複数の大入賞口、遊技球を左方に向けて放出する放出口等を備える。複数の大入賞口は、大当たりの判定に伴って、所定のタイミングで開放される。このとき、アタッカー装置２５の内部を流下する遊技球は大入賞口に入賞可能となる。
【００１７】
表示開口８の下方には、上方から順に、第一特別図柄始動電動役物１４、第二特別図柄始動電動役物１６、及びアウト口１９が設けられている。第一特別図柄始動電動役物１４に遊技球が入賞することを契機として、第一特別図柄の大当たり判定が行われる。第二特別図柄始動電動役物１６は、普通当たり判定によって当たりと判定された場合に、入賞可能となる。第二特別図柄始動電動役物１６に遊技球が入賞することを契機として、第二特別図柄の大当たり判定が行われる。アウト口１９は、遊技領域４の下端まで流下した遊技球を回収し、遊技盤２の後側へ排出する。
【００１８】
遊技盤２の後側には、演出装置３０（図３参照）が設けられる。演出装置３０は、表示画面２８Ａよりも前側にある右装飾体３５、及び左装飾体３４を動作させる。パチンコ機１の背面側には、制御部２０（図１３参照）が設けられる。制御部２０は、パチンコ機１の各種の動作を制御する。制御部２０の詳細については後述する。
【００１９】
演出装置３０の構成を説明する。図３に示すように、演出装置３０は、枠状筐体３３、右演出装置３１、及び左演出装置３２を備える。右演出装置３１と左演出装置３２は、それぞれ、枠状筐体３３の右部と左部に取り付けられる。右演出装置３１と左演出装置３２は互いに略左右対称な構成である。以下、説明を簡略化する都合、右演出装置３１の構成を説明し、左演出装置３２については右演出装置３１と左右対称でない構成についてのみ説明する。
【００２０】
図４で示される右演出装置３１は、右装飾体３５を動作させる装置である。右演出装置３１は、右スライド機構６０、右回転機構８０、右昇降機構１００、右ロック機構１５０を備える。右スライド機構６０は右装飾体３５を左右方向に移動させ、右回転機構８０は右装飾体３５を回転させ、右昇降機構１００は右装飾体３５を上下方向に移動させ、右ロック機構１５０は右装飾体３５を所定の高さ位置で保持する。
【００２１】
図３〜図６を参照し、右スライド機構６０の構成を説明する。図３〜図５に示すように、右スライド機構６０は、上レール６４、右スライドモータ６３、右移動部材６８、右直動被検知物６７（図３参照）、右アーム６５、及び右回転被検知物６９（図４参照）を備える。上レール６４は、枠状筐体３３の上部に設けられ、左右方向に延びる。右スライドモータ６３は、枠状筐体３３の右下部に設けられる。右移動部材６８は、上下方向に延びる部材である。右移動部材６８は、上レール６４と枠状筐体３３の下部とによって、左右方向に移動可能に支持される。右移動部材６８の上端部６６は、左右方向に延び、上レール６４が挿入する連結孔（図示外）を有する。右直動被検知物６７（図３参照）は、上端部６６の左端部から上方に突出する板状である。右移動部材６８の前部は右装飾体３５を支持する。右アーム６５の一端部（基端部）は、枠状筐体３３に設けられた前後方向に沿う支持軸によって、回転可能に支持される。右アーム６５は、右スライドモータ６３と駆動連結しており、右スライドモータ６３の駆動力で支持軸を中心に回転する。右回転被検知物６９は、支持軸を中心とした径方向外側に右アーム６５から突出する板状である。
【００２２】
図６に示すように、右アーム６５の他端部（先端部）には長穴状の開口部７３が形成される。開口部７３には、右移動部材６８から後方に突出する挿入ピン７５が挿入される。挿入ピン７５に回転可能に設けられた摺動部７６は、開口部７３に摺動可能に嵌る。従って、右アーム６５が右スライドモータ６３の駆動力で回転すると、右アーム６５の開口部７３が摺動部７６に対して摺動し、右移動部材６８は左右方向に移動する。本例では、右スライドモータ６３が正転すると、右アーム６５は背面視で時計回りに回転し（図６の矢印Ｅ）、右スライドモータ６３が逆転すると、右アーム６５は反対方向に回転する。右アーム６５が背面視時計回りに回転すると、右移動部材６８が可動範囲右端から左方へ移動する。以下、右移動部材６８が可動範囲右端にあるときの右装飾体３５の位置を離隔位置（図３参照）といい、右移動部材６８が可動範囲左端にあるときの右装飾体３５の位置を接近位置（図４参照）という。離隔位置は、右移動部材６８の左右方向における初期位置である。初期位置は、可動部材の位置を電子的に制御する際に必要となる原点位置（基準位置）である。パチンコ機１が正常に稼働した後にパチンコ機１の電源がＯＦＦになる場合、パチンコ機１が備える任意の可動部材は初期位置に配置される。
【００２３】
図７に示すように、右スライド機構６０は、右直動センサ６１と右近接センサ６２を備える。右直動センサ６１は枠状筐体３３の右下部に設けられ、右近接センサ６２は枠状筐体３３の左上部に設けられており、いずれのセンサも光学式のセンサである。右直動センサ６１と右近接センサ６２は、検知領域に被検知物が進入するとＯＮ状態になり、そうでない場合はＯＦＦ状態となる。右直動センサ６１の検知領域には右回転被検知物６９が進入可能であり、右近接センサ６２の検知領域には右直動被検知物６７が進入可能である。本例では、右回転被検知物６９が右直動センサ６１の検知領域に進入した瞬間から、右スライドモータ６３が更に所定パルス分（例えば３０パルス分）逆転することで、右移動部材６８は離隔位置に到達する。このときも、右回転被検知物６９は右直動センサ６１の検知領域内にある。また、右直動被検知物６７が右近接センサ６２の検知領域に進入した瞬間から、右スライドモータ６３が更に所定パルス分（例えば２８パルス分）正転することで、右移動部材６８は接近位置に到達する。このときも、右直動被検知物６７は右近接センサ６２の検知領域内にある。パチンコ機１は、右直動センサ６１と右近接センサ６２の検知結果に関する情報に基づいて、右装飾体３５の左右方向位置を検知できる。
【００２４】
以下では、右装飾体３５の左右方向位置を、右移動部材６８の左右方向位置（離隔位置、及び接近位置）と同様に定義して説明するものとする。離隔位置にある右装飾体３５は、図３等で示されており、接近位置にある右装飾体３５は、図４等で示される。
【００２５】
図７、図８を参照し、右回転機構８０を説明する。右回転機構８０は、右支持体８２を備える。右支持体８２は、右移動部材６８に上下動可能に設けられた後述の右昇降体１０２（図９参照）に固定される。即ち、右支持体８２は、右移動部材６８に対して上下動可能に連結する。右支持体８２には、出力軸が前後方向に延びる右回転モータ８３と、光学式のセンサである右回転センサ８１（図１３参照）が固定される。右回転センサ８１は、検知領域に被検知物が進入するとＯＮ状態となり、それ以外の場合にはＯＦＦ状態となる。さらに、右支持体８２には、右回転体８５が設けられる。右回転体８５は、前後方向に延びる軸線を中心として回転可能である。右回転体８５には、右被検知物（図示略）が設けられる。右被検知物は、右回転体８５の軸線を基準として径方向外側に突出する板状体である。右回転体８５は右回転モータ８３と駆動連結する。本実施形態では、右回転モータ８３の出力軸に固定されたギヤ等を介して、右回転体８５は右回転モータ８３と駆動連結する。本実施形態では、右回転モータ８３が正転すると、右回転体８５は正面視で反時計回りに回転し、右回転モータ８３が逆転すると、右回転体８５は反対方向に回転する。
【００２６】
右回転体８５は、右装飾体３５を支持しており、右装飾体３５と共に一体的に回転する。右回転体８５は、可動範囲の一端となる初期回転位置（図８参照）と、可動範囲の他端となる作動回転位置（図７参照）との間を回転する。右回転モータ８３が正転することで、右回転体８５は正面視で反時計回りに回転し、初期回転位置から作動回転位置まで回転する。初期回転位置は、右回転体８５の回転方向における初期位置である。
【００２７】
以下では、右装飾体３５の回転位置を、右回転体８５の回転位置（初期回転位置、及び作動回転位置）と同様に定義して説明するものとする。初期回転位置にある右装飾体３５は、図８等で示されており、作動回転位置にある右装飾体３５は、図１４（ｃ）等で示される。
【００２８】
右回転機構８０は、右回転センサ８１（図１３参照）を備える。右回転センサ８１は、右支持体８２に固定される。右回転センサ８１の検知領域には、右被検知物が進入可能である。より詳細には、右回転体８５が初期回転位置に向けて回転する場合、右被検知物が右回転センサ８１の検知領域に進入した瞬間から、右回転モータ８３が更に所定パルス分（例えば８パルス分）逆転することで、右回転体８５は初期回転位置に到達する。このときも右被検知物は右回転センサ８１の検知領域内にある。
【００２９】
図７、図９〜図１１を参照し、右昇降機構１００を説明する。図７、図９、図１０に示すように、右昇降機構１００は、右昇降モータ１０３、右ラック１０５、下被検知物１０７（図１０参照）、右昇降体１０２、及び上被検知物１０４（図１０参照）を備える。尚、図９では、右移動部材６８が、他の部材を明示する都合により省略されている。また、図１０では図面を見易くする都合、右ラック１０５にハッチングを施すと共に、後述の歯部１０５Ｃ（図９参照）の図示を省略する（図１６、図１８、図１９も同様）。
【００３０】
図７、図９に示すように、右昇降モータ１０３は、右移動部材６８の下端部に設けられ、右装飾体３５よりも後側にある。右ラック１０５は、右移動部材６８に形成された上下方向に長い長孔６８Ａに、上下動可能に設けられる。右ラック１０５は、基部１０５Ａ、連結部１０５Ｂ（図７参照）、歯部１０５Ｃ（図９参照）、及び凸部１０５Ｄ（図９参照）を備える。基部１０５Ａは、右移動部材６８に対して前方から対向する上下方向に長い板状体である。連結部１０５Ｂは、基部１０５Ａから後方に突出すると共に、長孔６８Ａに上下動可能に嵌る。従って、右ラック１０５は、長孔６８Ａによって上下動を案内される。本実施形態では、連結部１０５Ｂは、上下方向に沿って間隔を空けて複数設けられる。歯部１０５Ｃは上下方向に延び、歯車１０９と直接的に噛み合う。歯車１０９は、右移動部材６８に回転可能に設けられ、右昇降モータ１０３に駆動連結する。従って、右昇降モータ１０３が駆動すると、右ラック１０５は長孔６８Ａに沿って上下動する。本実施形態では、右昇降モータ１０３が正転すると右ラック１０５は下降し、右昇降モータ１０３が逆転すると右ラック１０５は上昇する。凸部１０５Ｄは、右ラック１０５の上端面から上方に向けて突出する。凸部１０５Ｄは一例として左右方向に間隔を空けて二つ設けられており、上側に向かう程先細るように湾曲状に形成される。
【００３１】
本実施形態では、右ラック１０５と右昇降モータ１０３とを連結する構造として、継続駆動可能構造が採用される。継続駆動可能構造とは、モータの駆動力によって可動部材が動作する構造であって、モータが駆動し続けても可動部材が可動範囲の一端側に配置され続けることが可能となる構造を指し示す。右昇降機構１００では、右ラック１０５が可動範囲の上端側にある場合（図１６参照）、右昇降モータ１０３の逆転に伴って歯車１０９は回転し続けるが、歯部１０５Ｃと噛み合う歯車１０９の歯が順次切り替わり続け、右ラック１０５は上下動を繰り返す。よって、右昇降モータ１０３が駆動し続けても、右ラック１０５が可動範囲の上端側に配置され続ける。つまり、歯車１０９と右ラック１０５の歯部１０５Ｃとが、右昇降機構１００の継続駆動可能構造に相当する。
【００３２】
下被検知物１０７は、一例として、右ラック１０５の基部１０５Ａの上端部と一体的に形成される。右昇降体１０２は、右ラック１０５の凸部１０５Ｄの上方に位置し、右移動部材６８の長孔６８Ａに上下動可能に連結する。右昇降体１０２が長孔６８Ａに上下動可能に連結する構成は、右ラック１０５と同様である。右昇降体１０２は、右回転機構８０の右支持体８２の後面に固定される。従って、右支持体８２は、右昇降体１０２及び右装飾体３５と共に上下動可能である。
【００３３】
図１１に示すように、右ラック１０５は、右昇降モータ１０３の駆動に伴い、最上位位置と最下位位置との間を、中間位置を経由して上下動する。最上位位置は、右ラック１０５の可動範囲上端である（図１１（ｃ）、図１６参照）。最下位位置は、右ラック１０５の可動範囲下端である（図１１（ｄ）、図１８参照）。中間位置は、最上位位置から僅かに下方となる位置である（図１１（ａ）、図１０参照）。また、右昇降体１０２は、右ラック１０５の上下動に伴い、上端位置と下端位置との間を、作動位置を経由して上下動する。上端位置は、右昇降体１０２の可動範囲上端である（図１１（ｃ）、図１６参照）。下端位置は、右昇降体１０２の可動範囲下端である（図１１（ｅ）、図１９参照）。作動位置は、上端位置から僅かに下方となる位置である（図１０、図１１（ａ）参照）。最上位位置にある右ラック１０５は、凸部１０５Ｄ（図９参照）を介して、上端位置にある右昇降体１０２に接触する（図１１（ｃ）、図１６参照）。中間位置にある右昇降体１０２は、凸部１０５Ｄを介して、作動位置にある右昇降体１０２に接触する（図９、図１１（ａ）参照）。中間位置は右ラック１０５の上下方向における初期位置であり、作動位置は右昇降体１０２の上下方向における初期位置である。尚、右昇降体１０２は、作動位置にある場合及び上端位置にある場合に、後述の右ロック機構１５０（図１２参照）によって保持され、右ラック１０５は右昇降体１０２から下方に離隔できる（図１１（ｂ）、図１８参照）。
【００３４】
図１０、図１１に示すように、右昇降機構１００は、右落下センサ１２６と右上昇センサ１２５を更に備える。右落下センサ１２６と右上昇センサ１２５は、右移動部材６８に固定された光学式センサであり、下側から順に並んで設けられる。右落下センサ１２６と右上昇センサ１２５は、いずれも、検知領域に被検知物が進入した場合にＯＮ状態となり、それ以外の場合にはＯＦＦ状態となる。右落下センサ１２６の検知領域である下検知領域には、下被検知物１０７と上被検知物１０４が上下方向に通過可能である。一方、右上昇センサ１２５の検知領域である上検知領域には、下被検知物１０７は進入できず、上被検知物１０４のみが上下方向に通過可能である。
【００３５】
図１１（ａ）、（ｅ）に示すように、右ラック１０５と右昇降体１０２がそれぞれ上昇する場合に、下被検知物１０７と上被検知物１０４は同時に下検知領域と上検知領域に進入する。その瞬間から更に右昇降モータ１０３が１５パルス分逆転することにより、右ラック１０５と右昇降体１０２は中間位置と作動位置に到達する（図１１（ａ））。このときも、下被検知物１０７と上被検知物１０４はそれぞれ下検知領域内と上検知領域内とにある。その後、右昇降モータ１０３が更に逆転することで、下被検知物１０７と上被検知物１０４はそれぞれ同時に下検知領域と上検知領域とから上方に退出し、右ラック１０５と右昇降モータ１０３はそれぞれ最上位位置と上端位置とに到達する（図１１（ｃ）参照）。図１１（ｃ）〜（ｅ）に示すように、右昇降体１０２が上端位置から下端位置まで下降する場合、下被検知物１０７は上検知領域と下検知領域を順に通過する。パチンコ機１は、右落下センサ１２６と右上昇センサ１２５の検知結果を示す情報に基づき、右装飾体３５の上下位置を検知する。
【００３６】
以下、右落下センサ１２６と右上昇センサ１２５を総称する場合に、右昇降センサ１２４と称し、右落下センサ１２６と右上昇センサ１２５がいずれもＯＮ状態である場合に、右昇降センサ１２４はＯＮ状態であるものとし、それ以外の場合では、右昇降センサ１２４はＯＦＦ状態であるものとする。
【００３７】
以下では、右装飾体３５の上下方向位置を、右昇降体１０２の上下方向位置（上端位置、下端位置、及び作動位置）と同様に定義して説明するものとする。上端位置にある右装飾体３５は図１５（ｃ）で示され、下端位置にある右装飾体３５は図１５（ｄ）で示され、作動位置にある右装飾体３５は、図１５（ａ）、（ｃ）等で示される。
【００３８】
図６、図１２を参照し、右ロック機構１５０の構成を説明する。右ロック機構１５０は、右装飾体３５を作動位置と上端位置のいずれかの位置で保持する機構である。右ロック機構１５０は、右移動部材６８の右上部に固定される。右ロック機構１５０は、右固定軸１５１、右ソレノイド１５２、右連結体１５３、右回転部材１５４、右ロック部材１５７、第一規制部１６１、第二規制部１６２、及び前カバー１５９を備える。
【００３９】
右固定軸１５１は、右移動部材６８から前方に突出する軸部材である。右ソレノイド１５２は、右固定軸１５１の左方に設けられる。右ソレノイド１５２の駆動軸は上下方向に延び、右連結体１５３に固定される。右ソレノイド１５２のコイルバネであるソレノイドバネは、駆動軸を下方へ付勢する。右連結体１５３は、右ソレノイド１５２の駆動軸と共に上下動する部材である。右連結体１５３は、右ソレノイド１５２の右方で前方に突出する突出部１５３Ａを備える。右回転部材１５４は、右移動部材６８に設けられると共に、前後方向を軸方向として回転可能である。右回転部材１５４は、長孔１５４Ａと突出軸１５４Ｂを備える。長孔１５４Ａは、右回転部材１５４の回転軸線と直交する方向に長い。長孔１５４Ａには、右連結体１５３の突出部１５３Ａが摺動可能に嵌っており、突出部１５３Ａが長孔１５４Ａに対して摺動すると右回転部材１５４が回転する構成となっている。突出軸１５４Ｂは、長孔１５４Ａの右下で前方に突出する。
【００４０】
右ロック部材１５７は、丸孔１５７Ａ、摺動孔１５７Ｂ、保持部１５７Ｃ、当接部１５７Ｄ、先端凹部１５７Ｅ（図６参照）、及び先端１５７Ｆ（図６参照）を備える。丸孔１５７Ａは、右固定軸１５１に回転可能に嵌る。摺動孔１５７Ｂは、右固定軸１５１と直交する方向に長い。摺動孔１５７Ｂには、右回転部材１５４の突出軸１５４Ｂが摺動可能に嵌る。従って、右回転部材１５４が回転すると、右ロック部材１５７は、右固定軸１５１を中心に回転する。保持部１５７Ｃは、右ロック部材１５７の上端部の一部を形成し、当接部１５７Ｄは右ロック部材１５７の上端部の他部を形成する。保持部１５７Ｃは、右固定軸１５１を中心として円弧状に湾曲する。当接部１５７Ｄは、保持部１５７Ｃの左側で上方に突出する。先端凹部１５７Ｅは、上方に凹む凹部であり、右ロック部材１５７の右下部に設けられる。先端１５７Ｆは、右ロック部材１５７の右端であり、先端凹部１５７Ｅよりも右方にある。先端１５７Ｆは、右側に向かうに従って先細るように形成される。
【００４１】
第一規制部１６１と第二規制部１６２は、右回転体８５の右支持体８２の右上後部に設けられる。第一規制部１６１と第二規制部１６２は、上側から順に隙間１６３を空けて並ぶ。第一規制部１６１は、右支持体８２から左方に向けて突出する突部の下面であり、滑らかに円弧状に湾曲する。第一規制部１６１の曲率半径は、保持部１５７Ｃの曲率半径とは異なることが好ましく、本実施形態では保持部１５７Ｃの曲率半径よりも大きい。第一規制部１６１は、作動位置にある右装飾体３５の保持部１５７Ｃに点接触可能である（図６参照）。第一規制部１６１が設けられた突部の上部には、前後方向に延びるリブである上凸部１６９が設けられる。第二規制部１６２は、右支持体８２から左方に突出する突部の下面であり、第一規制部１６１と略同一の形状である。第二規制部１６２が形成された突部の上部は、上端突起１６４である。第二規制部１６２は、上端位置にある右装飾体３５の保持部１５７Ｃに点接触可能である（図１７参照）。第一規制部１６１と第二規制部１６２との間にある隙間１６３には、ロック位置にある右ロック部材１５７の先端１５７Ｆが進入可能である。
【００４２】
前カバー１５９は、右移動部材６８に対して前方から取付けられる。前カバー１５９は位置決め部１５９Ａを備える。位置決め部１５９Ａは、右ロック部材１５７の当接部１５７Ｄの右方に位置する。当接部１５７Ｄが位置決め部１５９Ａに対して左方から接触可能である。
【００４３】
上記構成を有する右ロック機構１５０では、右ソレノイド１５２がＯＦＦの場合、ソレノイドバネの付勢力によって、右ロック部材１５７は、正面視で時計回りに付勢される。当接部１５７Ｄが位置決め部１５９Ａに左側から接触することで、右ロック部材１５７は、ロック位置（図６、図１７参照）で停止する。ロック位置にある右ロック部材１５７の保持部１５７Ｃには、第一規制部１６１又は第二規制部１６２が上方から点接触する。これにより、右ロック機構１５０は、初期位置又は上端位置にある右装飾体３５の落下を規制し保持する。尚、初期位置にある右装飾体３５を右ロック機構１５０が保持する場合（図６参照）、先端凹部１５７Ｅは上端突起１６４に対して上方から隙間を挟んで対向する。従って、右ロック機構１５０は、初期位置にある右装飾体３５が上昇するのを併せて規制する。
【００４４】
一方、右ソレノイド１５２がＯＮの場合、右ソレノイド１５２の駆動軸がソレノイドバネの付勢力に抗って可動範囲上端まで上昇し、右回転部材１５４は正面視で時計回りに回転する。これにより、右ロック部材１５７は、正面視で反時計回りに回転してロック解除位置（図示外）に到達する（図６の矢印Ｐ１）。ロック解除位置にある右ロック部材１５７は、右装飾体３５の可動範囲から左方に退出する。これにより、右ロック機構１５０は、初期位置又は上端位置にある右装飾体３５の上下動を許容する。
【００４５】
図３を参照し、右装飾体３５を説明する。右装飾体３５は、右収容体３６、右開口部３９、及び右進入部３８を備える。右収容体３６は箱状であり、右回転体８５（図８参照）に固定される。右開口部３９と右進入部３８は、右収容体３６の上下方向中央部の後部に設けられる。右開口部３９は左方に向けて開放された開口部であり、右進入部３８は左方に向けて突出した板状である。本実施形態では、右開口部３９と右進入部３８が上側から順に交互に配置される。
【００４６】
図３、図４を参照し、左演出装置３２の構成の概略を説明する。左演出装置３２は、左装飾体３４を動作させる装置である。左演出装置３２は、左スライド機構、左回転機構、左昇降機構、及び左ロック機構を備える。左スライド機構は左装飾体３４を左右方向に移動させ、左回転機構は左装飾体３４を回転させ、左昇降機構は左装飾体３４を上下方向に移動させ、左ロック機構は左装飾体３４を所定の高さ位置で保持する。上述した通り、左演出装置３２の構成は、右演出装置３１の構成と略左右対称である。つまり、左スライド機構は右スライド機構６０に、左回転機構は右回転機構８０に、左昇降機構は右昇降機構１００に、左ロック機構は右ロック機構１５０に、それぞれ対応する。左演出装置３２が備える上記四つの機構の説明を省略し、図面での符号による図示も併せて省略する。
【００４７】
図３、図９を参照し、左装飾体３４の構成を説明する。左装飾体３４は、左収容体９６、左進入部９８、及び左開口部９９を備える。左収容体９６は箱状であり、左回転機構の左回転体に固定される。左進入部９８と左開口部９９は、左収容体９６の上下方向中央部の後部に、上側から設けられる。左進入部９８は、右方に向けて突出した板状であり、右装飾体３５の右開口部３９に進入可能である。左開口部９９は、右方に向けて開口した開口部であり、右装飾体３５の右進入部３８が進入可能である。
【００４８】
図１３を参照し、パチンコ機１の制御部２０の電気的構成について説明する。制御部２０は、主基板４１、サブ制御基板５８、ランプドライバ基板４６、演出制御基板４３、払出制御基板４５、中継基板４７、及び電源基板４２を主に備える。
【００４９】
主基板４１は、パチンコ機１の主制御を司る。主基板４１の主基板ＣＰＵユニット５０には、各種の演算処理を行うＣＰＵ９１と、データを一時的に記憶するＲＡＭ９２と、制御プログラム等を記憶したＲＯＭ９３とが設けられている。主基板ＣＰＵユニット５０には、割込信号発生回路５７が接続されている。主基板４１は、割込信号発生回路５７から割込信号が入力される毎にプログラムを実行する。主基板４１は、Ｉ／Ｏインタフェイス５４を介してサブ制御基板５８、払出制御基板４５、中継基板４７、出力ポート５６、第一始動口スイッチ７８、及び第二始動口スイッチ７４に接続している。出力ポート５６は、図示しない遊技場管理用コンピュータにパチンコ機１の情報を出力する。第一始動口スイッチ７８は、第一特別図柄始動電動役物１４に入賞した遊技球を検出する。第二始動口スイッチ７４は、第二特別図柄始動電動役物１６に入賞した遊技球を検出する。
【００５０】
サブ制御基板５８は、ＣＰＵ５８１、ＲＡＭ５８２、及びＲＯＭ５８３を備え、ランプドライバ基板４６、演出制御基板４３、及びスピーカ４８に接続している。サブ制御基板５８は、主基板４１から送信されるコマンドに従って、演出等の総合的な制御を行う。ランプドライバ基板４６は、右直動センサ６１、右近接センサ６２、右回転センサ８１、右昇降センサ１２４、右ソレノイド１５２、右スライドモータ６３、右回転モータ８３、右昇降モータ１０３に接続されている。右直動センサ６１、右近接センサ６２、右回転センサ８１、右昇降センサ１２４は、それぞれ、ＯＮ状態であることを示すＯＮ信号とＯＦＦ状態であることを示すＯＦＦ信号とを、ランプドライバ基板４６を介してＣＰＵ５８１に出力する。
【００５１】
ランプドライバ基板４６は、サブ制御基板５８から受信するコマンドに従って、右ソレノイド１５２、右スライドモータ６３、右回転モータ８３、右昇降モータ１０３はそれぞれ駆動制御する。
【００５２】
演出制御基板４３は、ＣＰＵ４３１、ＣＧＲＯＭ４３２等を備え、サブ制御基板５８から受信するコマンドに従って画像表示装置２８を制御する。ＣＧＲＯＭ４３２は、表示面２７（図１参照）における画像表示に必要な画像データ等を記憶する。払出制御基板４５は、ＣＰＵ４５ａ等を備える。払出制御基板４５は、主基板４１から送信されるコマンドに応じて賞球払出装置４９の動作を制御し、所定数の遊技球を払い出させる。
【００５３】
中継基板４７は、普通電動役物開閉ソレノイド７９、大入賞口ソレノイド７１に接続している。普通電動役物開閉ソレノイド７９は、普通当たり遊技中に第二特別図柄始動電動役物１６の開閉部材を開閉する。大入賞口ソレノイド７１は、大当たり遊技中に、アタッカー装置２５の大入賞口（図示略）の開閉部材を開閉する。
【００５４】
電源基板４２は、主基板４１及び遊技球発射装置３７に接続されており、各基板及び遊技球発射装置３７に直流の安定化した電力を供給する。遊技球発射装置３７は、一定間隔（本実施形態では０．６秒）毎に１個ずつ遊技球を遊技領域４へ発射する。
【００５５】
図１４、図１５等を参照し、演出装置３０の演出動作を説明する。ＣＰＵ５８１が、ＣＰＵ９１から受信するコマンドに応じ、ランプドライバ基板４６に所定のコマンドを送信することで、演出動作は実行される。右装飾体３５と左装飾体３４の動作は略左右対称である。以下の演出動作の説明では、右演出装置３１の各種機構の動作を説明しながら、右装飾体３５と左装飾体３４の動作を説明する。さらに、右装飾体３５の位置について定義された上述の離隔位置、初期回転位置、上端位置、及び下端位置等については、左装飾体３４の位置の説明にも用いることとする。
【００５６】
演出動作の開始前、演出装置３０は初期状態である（図１４（ａ）参照）。このとき、右装飾体３５は、離隔位置、初期回転位置、及び作動位置に位置する（図１４（ａ）参照）。また、右ロック機構１５０が作動位置にある右装飾体３５を保持し（図６参照）、右ラック１０５は中間位置にある（図１０参照）。演出装置３０が初期状態であるときの左演出装置３２の状態は右演出装置３１と同様である。
【００５７】
演出装置３０には、種々の演出動作パターンがあるが、以下、代表的な二パターンの演出動作である第一演出動作及び第二演出動作を説明する。第一演出動作では、右装飾体３５と左装飾体３４は、左右方向に移動した後に回転する（図１４参照）。第二演出動作では、右装飾体３５と左装飾体３４は、左右方向に移動した後に、一旦上昇してから自由落下する（図１５参照）。
【００５８】
図６、図１４を参照し、演出装置３０の第一演出動作を説明する。右スライド機構６０の右スライドモータ６３が正転することで、右アーム６５が背面視で時計回りに回転する（図６の矢印Ｅ）。開口部７３が摺動部７６を左方に付勢する。開口部７３が摺動部７６に対して摺動する過程で、右アーム６５の回転力は右移動部材６８の左右方向における移動力に変換され、右装飾体３５は接近位置に向かう。
【００５９】
右装飾体３５と左装飾体３４は、それぞれ、離隔位置から接近位置まで移動する（図１４（ａ）、（ｂ）参照）。このとき、右装飾体３５の右進入部３８（図３参照）は、左装飾体３４の左開口部９９（図３参照）に進入し、左進入部９８は右開口部３９に進入する。右装飾体３５と左装飾体３４は外観視で一体的な装飾体を形成する。
【００６０】
その後、右回転機構８０の右回転モータ８３（図８参照）が正転する（左回転機構も同様）。これにより、右装飾体３５と左装飾体３４は、初期回転位置から正面視で反時計回りに略９０°回転し、作動回転位置に到達する（図１４（ｃ）参照）。その後、右回転モータ８３と右スライドモータ６３が順に逆転する（左演出装置３２においても同様）。これにより、右装飾体３５と左装飾体３４は、作動回転位置から初期回転位置まで回転し（図１４（ｂ）参照）、その後、接近位置から離隔位置まで移動する（図１４（ａ）参照）。演出装置３０は、初期状態に戻り第一演出動作を終了する。
【００６１】
図６、図１０、図１５〜図１９を参照し、演出装置３０の第二演出動作を説明する。尚、第一演出動作と重複する説明については、以下、簡略化する。右演出装置３１の右スライドモータ６３が正転し、左演出装置３２も同様の動作を実行することで、右装飾体３５と左装飾体３４はいずれも接近位置に到達する（図１５（ａ）、（ｂ）参照）
【００６２】
右装飾体３５と左装飾体３４が接近位置に到達した後、右ロック機構１５０の右ソレノイド１５２がＯＦＦからＯＮに切り替わり、右ロック部材１５７は、ロック位置からロック解除位置に向けて回転する（図６の矢印Ｐ１）。保持部１５７Ｃが第一規制部１６１に対して摺動した後、右ロック部材１５７はロック解除位置に到達し、右装飾体３５の可動範囲から退出する（図示略）。右装飾体３５は上下動可能な状態になる。右昇降機構１００の右昇降モータ１０３が逆転し、右ラック１０５を上昇させる（図１０、図１６参照）。右ラック１０５が右昇降体１０２を押し上げ、右装飾体３５は上端位置に到達する（図１７参照）。その後、右ソレノイド１５２がＯＮからＯＦＦに切り替わり、右ロック部材１５７はロック位置まで回転する（図１７の矢印Ｑ１）。保持部１５７Ｃが第二規制部１６２に対して下側から点接触することで、右ロック機構１５０は、上端位置にある右装飾体３５を保持する。その後、右昇降モータ１０３が正転することで、右ラック１０５は、右昇降体１０２から離隔して最下位位置まで下降する（図１８参照）。右ラック１０５の下降により、右ラック１０５と右昇降体１０２との上下方向における位置関係は、変わる。左演出装置３２は、右演出装置３１と左右対称の動作を実行する。左装飾体３４は、右装飾体３５と一体的に初期位置から上端位置まで上昇し保持される（図１５（ｂ）、（ｃ）参照）。
【００６３】
右ラック１０５が最下位位置に到達した後、右ソレノイド１５２がＯＦＦからＯＮに切り替わる。保持部１５７Ｃが第二規制部１６２に対して摺動しながら、右ロック部材１５７はロック位置からロック解除位置まで回転する（図１７の矢印Ｑ２）。左演出装置３２も右演出装置３１と同様の動作を同時に実行する。これにより、右装飾体３５と左装飾体３４は、重力により下側に付勢されて同じタイミングで自由落下を開始し（図１５（ｃ）の矢印Ｒ）し、下端位置に到達する（図１５（ａ）、（ｂ）参照）。左演出装置３２も同様の動作を実行する。右装飾体３５と左装飾体３４は同じタイミングで下端位置に到達する（図１５（ｃ）、（ｄ）参照）。
【００６４】
図１９に示すように、右装飾体３５と右昇降体１０２が下端位置に到達した後、右昇降モータ１０３が逆転することで、右ラック１０５と右装飾体３５は一体的に上昇する（矢印Ｕ）。右装飾体３５の上凸部１６９（図６参照）が、右ロック部材１５７の先端１５７Ｆ（図６参照）に下方から接触して、ロック位置にある右ロック部材１５７をロック解除位置に向けて回転させる。そして、右装飾体３５が作動位置に復帰したタイミングで、右ロック部材１５７はソレノイドバネの付勢力でロック位置まで復帰する（図６参照）。保持部１５７Ｃは、第一規制部１６１を下側から保持する（図６参照）。その後、右スライドモータ６３が逆転することで、右装飾体３５は接近位置から離隔位置まで移動する（図３参照）。左演出装置３２も同様の動作を実行する。これにより、演出装置３０は、初期状態に戻り、第二演出動作を終了する。
【００６５】
演出装置３０は、第一演出動作と第二演出動作の他に、第三演出動作を実行可能である（図示略）。第三演出動作は第二動作と類似した動作であり、右装飾体３５と左装飾体３４が、接近位置まで移動し上端位置まで移動した後に（図１５（ａ）〜（ｃ）参照）、作動位置まで戻り、その後、初期状態に復帰する。右装飾体３５が上端位置から作動位置に戻る間、右ソレノイド１５２はＯＮ状態となる。右装飾体３５が作動位置まで戻った場合に、右ソレノイド１５２はＯＦＦ状態になり、右ロック機構１５０は作動位置にある右装飾体３５を保持する。第三演出動作は、一例としてはずれ変動時のリーチ演出に伴い実行される。
【００６６】
図２０〜図３１を参照し、右復帰処理について説明する。右復帰処理は、右装飾体３５を初期状態に復帰させる処理である。例えば、パチンコ機１の動作中に突発的に電源がＯＦＦになった場合、又は、パチンコ機１に対して突発的な外力が作用した場合に、右装飾体３５が初期状態から外れた状態になる。こういった場合に右復帰処理が実行されることで、右装飾体３５は初期状態に復帰できる。右復帰処理は、一例として、パチンコ機１の電源投入時に実行される。尚、左装飾体３４を初期状態に復帰させる左復帰処理（図示略）は、右復帰処理と同様の処理であるので詳細な説明を省略する。また、以下の右復帰処理の説明では左装飾体３４は常に初期状態にあるものとする。
【００６７】
ＣＰＵ５８１が、右復帰処理を開始するコマンドをＣＰＵ９１から受信した場合に、右復帰処理は実行される。ＣＰＵ５８１は、演出処理を実行するためログラムをＲＯＭ５８３から読み出して、右復帰処理を実行する。尚、図１３を参照して説明したように、ＣＰＵ５８１は、ランプドライバ基板４６を介して、右直動センサ６１、右ソレノイド１５２、右スライドモータ６３等と各種の信号の送受信を行うが、以下の処理の説明では、ランプドライバ基板４６関する説明を省略する。
【００６８】
＜右上昇センサ１２５、右回転センサ８１、右直動センサ６１がＯＦＦの場合＞
図２０〜図２６を参照し、右装飾体３５が、離隔位置、初期回転位置、作動位置のいずれの位置にも配置されていないときの右復帰処理を説明する。例えば図２１（ａ）に示すように、右装飾体３５は、離隔位置と接近位置との間となる左右方向位置にあり、初期回転位置と作動回転位置との間となる回転位置にあり、上端位置にある。右ラック１０５は最上位位置にある。
【００６９】
ＣＰＵ５８１は、右上昇センサ１２５と右落下センサ１２６の出力結果に関する情報に基づき、右昇降センサ１２４がＯＮ状態か否かを判定する（Ｓ３１）。右装飾体３５が上端位置にあるので、右上昇センサ１２５と右落下センサ１２６はいずれもＯＦＦ状態である（Ｓ３１：ＮＯ）。ＣＰＵ５８１は、右回転センサ８１の出力結果に関する情報に基づき、右回転センサ８１がＯＮ状態か否かを判断する（Ｓ３３）。右昇降体１０２は、初期回転位置と作動回転位置との間となる回転位置にあるので、右回転センサ８１はＯＦＦ状態である（Ｓ３３：ＮＯ）。ＣＰＵ５８１は、右直動センサ６１の出力結果に関する情報に基づき、右直動センサ６１がＯＮ状態か否かを判断する（Ｓ３５）。右装飾体３５は、離隔位置と接近位置との間となる左右方向位置にあるので、右直動センサ６１はＯＦＦ状態である（Ｓ３５：ＮＯ）。ＣＰＵ５８１は右回転復帰処理Ａを実行する（Ｓ３７）。
【００７０】
図２２に示すように、ＣＰＵ５８１は、右回転モータ８３を一定パルス分逆転させる（Ｓ６１）。一定パルスは、右装飾体３５の例えば約２０°分の回転に相当するパルス数である。右装飾体３５は、初期回転位置に向けて回転するが（図２１（ａ）の矢印Ｆ１）、本例では初期回転位置に到達することなく停止する（図２１（ｂ）参照）。ＣＰＵ５８１は、右昇降センサ１２４がＯＮ状態か否かを判断する（Ｓ６３）。Ｓ６３はＳ３１（図２０参照）と同様の処理である。右装飾体３５は上端位置にあり、右昇降センサ１２４はＯＦＦ状態である（Ｓ６３：ＮＯ）。ＣＰＵ５８１は、右昇降復帰処理を実行する（Ｓ６５）。尚、ＣＰＵ５８１は、Ｓ６１の実行時に、右回転センサ８１の検知結果を監視する。そして、右回転モータ８３の逆転駆動量が一定パルス分の駆動量に達する前に、右装飾体３５が初期回転位置に到達する場合、ＣＰＵ５８１は、その瞬間に右回転モータ８３の逆転駆動を駆動停止する（Ｓ６１）。
【００７１】
図２３に示すように、ＣＰＵ５８１は、右昇降モータ１０３を一定パルス正転させる（Ｓ７１）。一定パルスは、右装飾体３５（即ち右昇降体１０２）の例えば最大昇降量に相当するパルス数である。右昇降体１０２は最上位位置から最下位位置まで下降し、右昇降体１０２は上端位置にて保持される（図１８参照）。
【００７２】
尚、Ｓ７１の実行時、右昇降モータ１０３の正転駆動量が、一定パルスに到達する前に、右ラック１０５が最下位位置に到達する場合、ＣＰＵ５８１はその瞬間に右昇降モータ１０３の正転駆動を停止する。具体的には、下端位置に到達した右ラック１０５が、長孔６８Ａ下端によって下方への移動を規制されることで、右昇降モータ１０３の駆動負荷は著しく増大する。ＣＰＵ５８１は、この駆動負荷の増大を検知し、右昇降モータ１０３の正転駆動を停止する。駆動負荷の増大の検知は、右昇降モータ１０３に内蔵されたトルク計測器によって実現されてもよいし、右昇降モータ１０３の脱調の発生により検知されてもよい。右昇降モータ１０３の脱調が発生した場合、右昇降モータ１０３への電力供給が瞬間的に遮断されれば、右昇降モータ１０３は復旧する。
【００７３】
Ｓ７１の実行後、ＣＰＵ５８１は、右ソレノイド１５２を所定時間に亘りＯＮ状態にした後、ＯＦＦ状態に戻す（Ｓ７３）。所定時間は一例として１秒である。右ソレノイド１５２がＯＮ状態になることで、右ロック部材１５７をロック位置からロック解除位置まで回転する。右昇降体１０２と右装飾体３５は、重力により下方に付勢されることで、下端位置まで落下する（図１９参照）。このときの右昇降体１０２と右装飾体３５の落下は、右ラック１０５に対する下方への相対移動である。
【００７４】
ＣＰＵ５８１は、右昇降モータ１０３の逆転駆動を開始する（Ｓ７５）。右ラック１０５は、右昇降体１０２を直接的に付勢しながら上昇する（図１９の矢印Ｕ、図２１（ｃ）の矢印Ｆ２）。ＣＰＵ５８１は、右昇降センサ１２４がＯＮ状態であるか否かを判断する（Ｓ７７）。Ｓ７７はＳ３１（図２０参照）と同様の処理である。上昇する下被検知物１０７と上被検知物１０４がそれぞれ下検知領域と上検知領域に進入しない限り、右上昇センサ１２５と右落下センサ１２６の両方がＯＮ状態になることはない（Ｓ７７：ＮＯ）。ＣＰＵ５８１は、右昇降モータ１０３が所定パルス逆転したか否かを判断する（Ｓ７９）。所定パルスは、例えば右ラック１０５の最大可動量よりも多いパルス数である。右昇降モータ１０３が所定パルス分逆転駆動していない場合（Ｓ７９：ＮＯ）、ＣＰＵ５８１は処理をＳ７７に移行する。ＣＰＵ５８１は、Ｓ７７、Ｓ７９を繰り返す。右ラック１０５と右昇降体１０２が正常に上昇する場合、右昇降モータ１０３が所定パルス分逆転駆動する前に（Ｓ７９：ＮＯ）、下被検知物１０７と上被検知物１０４は下検知領域と上検知領域とに進入する（Ｓ７７：ＹＥＳ）。ＣＰＵ５８１は右昇降モータ１０３の逆転駆動を終了する（Ｓ８３）。右ラック１０５と右昇降体１０２はそれぞれ、中間位置と作動位置よりも僅かに下方となる位置で停止する（Ｓ８３）。
【００７５】
尚、右昇降モータ１０３が所定パルス分の逆転駆動した場合（Ｓ７９：ＹＥＳ）、ＣＰＵ５８１は、右昇降センサ１２４がＯＮ状態か否かを判断する（Ｓ８１）。Ｓ８１はＳ７７と同様の処理である。右昇降センサ１２４がＯＮ状態である場合（Ｓ８１：ＹＥＳ）、ＣＰＵ５８１は処理をＳ８３に移行する。右昇降センサ１２４がＯＦＦ状態である場合（Ｓ８１：ＮＯ）、ＣＰＵ５８１は、Ｓ８３と同様、右昇降モータ１０３の逆転駆動を終了し（Ｓ９７）、右昇降リトライ処理を実行する（Ｓ９９）。リトライ処理は、可動部材が初期位置に復帰しなかった場合において、当該可動部材を初期位置に復帰させる処理を再度実行する処理である。例えば、突発的な要因によって、右昇降モータ１０３が逆転しても右ラック１０５と右昇降体１０２が正常に上昇しない場合、右昇降モータ１０３が所定パルス分逆転駆動しても（Ｓ７９：ＹＥＳ）、右昇降センサ１２４はＯＮ状態にならない（Ｓ８１：ＮＯ）。この場合、右昇降リトライ処理が実行される（Ｓ９９）。
【００７６】
Ｓ８３の実行後、ＣＰＵ５８１は、右昇降モータ１０３を１５パルス分逆転駆動する（Ｓ８５）。これにより、右ラック１０５と右昇降体１０２はそれぞれ中間位置と作動位置で停止する（図１０、図２１（ｃ）参照）。ＣＰＵ５８１は、ＲＡＭ５８２で計時するカウンタをリセットして（Ｓ８７）、右回転センサ８１がＯＮ状態であるか否かを判断する（Ｓ８９）。Ｓ８７でリセットされるカウンタは、右昇降リトライ処理の実行回数を示す。Ｓ８９はＳ３３（図２０参照）と同様の処理である。右装飾体３５が初期回転位置に復帰していないので（Ｓ８９：ＮＯ）、ＣＰＵ５８１は右回転復帰処理Ｂを実行する（Ｓ９１）。
【００７７】
図２４に示すように、ＣＰＵ５８１は、右回転モータ８３の逆転駆動を開始する（Ｓ１０１）。右装飾体３５は、初期回転位置に向けて回転する（図２１（ｃ）の矢印Ｆ３）。ＣＰＵ５８１は、右回転センサ８１がＯＮ状態になったか否かを判断する（Ｓ１０３）。Ｓ１０３はＳ３３（図２０参照）と同様の処理である。右被検知物が右回転センサ８１の検知領域に到達していない場合（Ｓ１０３：ＮＯ）、ＣＰＵ５８１は、右回転モータ８３が所定パルス分逆転駆動したか否かを判断する（Ｓ１０５）。所定パルスは、右装飾体３５の最大回転量に相当するパルス数である。右回転モータ８３が所定パルス分逆転駆動していない場合（Ｓ１０５：ＮＯ）、ＣＰＵ５８１は処理をＳ１０３に移行する。ＣＰＵ５８１はＳ１０３、Ｓ１０５を繰り返す。右装飾体３５が正常に回転する場合、右回転モータ８３の逆転駆動量が所定パルスとなる前に（Ｓ１０５：ＮＯ）、右被検知物は右回転センサ８１の下検知領域に進入する（Ｓ１０３：ＹＥＳ）。ＣＰＵ５８１は右回転モータ８３の逆転駆動を終了する（Ｓ１０９）。右装飾体３５は、初期回転位置よりも僅かに手前で停止する（Ｓ１０９）。
【００７８】
尚、右回転モータ８３が所定パルス分逆転駆動した場合（Ｓ１０７：ＹＥＳ）、ＣＰＵ５８１は、右回転センサ８１がＯＮ状態か否かを判断する（Ｓ１０７）。Ｓ１０７はＳ１０３と同様の処理である。右回転センサ８１がＯＮ状態である場合（Ｓ１０７：ＹＥＳ）、ＣＰＵ５８１は処理をＳ１０９に移行する。右回転センサ８１がＯＦＦ状態である場合（Ｓ１０７：ＮＯ）、ＣＰＵ５８１は、Ｓ１０９同様、右回転モータ８３の逆転駆動を終了し（Ｓ１２５）、右回転リトライ処理を実行する（Ｓ１２７）。例えば、突発的な要因によって、右回転モータ８３が逆転しても右装飾体３５と右回転体８５が回転しない場合、右回転モータ８３が所定パルス分逆転駆動しても（Ｓ１０５：ＹＥＳ）、右回転センサ８１はＯＮ状態にならない（Ｓ１０７：ＮＯ）。この場合、右回転リトライ処理が実行される（Ｓ１２７）。
【００７９】
Ｓ１０９の実行後、ＣＰＵ５８１は、右回転モータ８３を８パルス分逆転駆動する（Ｓ１１１）。これにより、右装飾体３５と右回転体８５は共に初期回転位置で停止する（図２１（ｄ）参照）。ＣＰＵ５８１は、ＲＡＭ５８２に記憶のカウンタをリセットして（Ｓ１１３）、右昇降センサ１２４がＯＮ状態であるか否かを判断する（Ｓ１１５）。Ｓ１１３でリセットされるカウンタは、右回転リトライ処理の実行回数を示す。Ｓ１１５はＳ３１（図２０参照）と同様の処理である。右昇降センサ１２４がＯＦＦ状態である場合（Ｓ１１５：ＮＯ）、ＣＰＵ５８１は右昇降復帰処理を実行する（Ｓ１１７）。Ｓ１１７はＳ６５（図２２参照）と同様の処理である。本例では、右上昇センサ１２５はＯＮ状態であるので（Ｓ１１５：ＹＥＳ）、ＣＰＵ５８１は右直動センサ６１がＯＮ状態か否かを判断する（Ｓ１１９）。右被検知物が右直動センサ６１の検知領域から退出しているので（Ｓ１１９：ＮＯ）、ＣＰＵ５８１は、右直動復帰処理Ｂを実行する（Ｓ１２１）。
【００８０】
図２６に示すように、ＣＰＵ５８１は、右スライドモータ６３の逆転駆動を開始する（Ｓ１４１）。右装飾体３５は、離隔位置に向けて移動する（図２１（ｄ）の矢印Ｆ４）。ＣＰＵ５８１は、右直動センサ６１がＯＮ状態になったか否かを判断する（Ｓ１４３）。Ｓ１４３はＳ３５（図２０参照）と同様の処理である。右回転被検知物６９が右直動センサ６１の検知領域に到達していない場合（Ｓ１４３：ＮＯ）、ＣＰＵ５８１は、右スライドモータ６３が所定パルス分逆転駆動したか否かを判断する（Ｓ１４５）。所定パルスは、右装飾体３５の最大左右動量に相当するパルス数である。右スライドモータ６３が所定パルス分逆転駆動していない場合（Ｓ１４５：ＮＯ）、ＣＰＵ５８１は、処理をＳ１４３に移行する。ＣＰＵ５８１はＳ１４３、Ｓ１４５を繰り返す。右装飾体３５が正常に右方に移動する場合、右スライドモータ６３の逆転駆動量が所定パルスとなる前に（Ｓ１４５：ＮＯ）、右回転被検知物６９は右直動センサ６１の検知領域に進入する（Ｓ１４３：ＹＥＳ）。ＣＰＵ５８１は右スライドモータ６３の逆転駆動を終了する（Ｓ１４９）。右装飾体３５は、離隔位置よりも僅かに手前で停止する（Ｓ１４９）。
【００８１】
尚、右スライドモータ６３が所定パルス分逆転駆動した場合（Ｓ１４５：ＹＥＳ）、ＣＰＵ５８１は、右直動センサ６１がＯＮ状態か否かを判断する（Ｓ１４７）。Ｓ１４７はＳ１４３と同様の処理である。右直動センサ６１がＯＮ状態である場合（Ｓ１４７：ＹＥＳ）、ＣＰＵ５８１は処理をＳ１４９に移行する。右直動センサ６１がＯＦＦ状態である場合（Ｓ１４７：ＮＯ）、ＣＰＵ５８１は、Ｓ１４９同様、右スライドモータ６３の逆転駆動を終了し（Ｓ１５５）、右直動リトライ処理を実行する（Ｓ１５７）。例えば、突発的な要因によって、右スライドモータ６３が逆転しても右装飾体３５が右方に移動しない場合、右スライドモータ６３が所定パルス分逆転駆動しても（Ｓ１４５：ＹＥＳ）、右直動センサ６１はＯＮ状態にならない（Ｓ１４７：ＮＯ）。この場合、右直動リトライ処理が実行される（Ｓ１５７）。
【００８２】
Ｓ１４９の実行後、ＣＰＵ５８１は、右スライドモータ６３を３０パルス分逆転駆動する（Ｓ１５１）。これにより、右装飾体３５は離隔位置で停止する（図２１（ｅ）参照）。右装飾体３５は初期状態に戻る。ＣＰＵ５８１は、ＲＡＭ５８２に記憶のカウンタをリセットして（Ｓ１５３）、処理を終了する。Ｓ１５３でリセットされるカウンタは、右直動リトライ処理の実行回数を示す。ＣＰＵ５８１は、右直動復帰処理Ｂを終了し、右復帰処理は終了する。
【００８３】
＜右直動センサ６１がＯＮ、右上昇センサ１２５と右回転センサ８１がＯＦＦの場合＞
図２０、図２２〜図２７を参照し、右装飾体３５が、離隔位置に配置される一方で、初期回転位置と作動位置には配置されていない時の右復帰処理を説明する。例えば図２７（ａ）に示すように、右装飾体３５は、初期回転位置と作動回転位置との間となる回転位置にあり、作動位置よりも下方にある。尚、上述した右復帰処理と重複する処理については、以下説明を簡略化する。
【００８４】
図２０に示すように、ＣＰＵ５８１は、右上昇センサ１２５がＯＦＦ状態であると判断し（Ｓ３１：ＮＯ）、右回転センサ８１がＯＦＦ状態であると判断し（Ｓ３３：ＮＯ）、右直動センサ６１がＯＮ状態であると判断し（Ｓ３５：ＹＥＳ）、右直動復帰処理Ａを実行する（Ｓ３９）。
【００８５】
図２５に示すように、ＣＰＵ５８１は、右スライドモータ６３を一定パルス分正転させる（Ｓ１３１）。右装飾体３５は左方に移動する（図２７（ａ）の矢印Ｆ５）。一定パルスは、右装飾体３５の最大左右動量の約半分に相当するパルス数である。これにより、右装飾体３５は離隔位置と接近位置との間となる位置で停止する。尚、ＣＰＵ５８１は、Ｓ１３１の実行時に、右近接センサ６２の検知結果を監視する。そして、右スライドモータ６３の正転駆動量が一定パルス分の駆動量に達する前に、右装飾体３５が接近位置に到達した場合、ＣＰＵ５８１はその瞬間に右スライドモータ６３の正転駆動を駆動停止する（Ｓ１３１）。
【００８６】
ＣＰＵ５８１は、右昇降センサ１２４がＯＮ状態であるか否かを判断する（Ｓ１３３）。Ｓ１３３はＳ３１（図２０参照）と同様の処理である。右装飾体３５は作動位置よりも僅かに下方にあるので（Ｓ１３３：ＮＯ）、ＣＰＵ５８１は右昇降復帰処理を実行する（Ｓ１３５）。Ｓ１３５は、上述のＳ１１７（図２４参照）と同様の処理である。
【００８７】
図２３に示されるＳ７１、Ｓ７３をＣＰＵ５８１が実行することで、右装飾体３５は下端位置まで落下する（図２７（ｂ）の矢印Ｆ６）。ＣＰＵ５８１がＳ７５〜Ｓ８５を実行することで、右装飾体３５は、下端位置から作動位置まで上昇する（図２７（ｃ）参照）。右回転センサ８１はＯＦＦ状態であるので（Ｓ８９：ＮＯ）、ＣＰＵ５８１は右回転復帰処理Ｂを実行する（Ｓ９１）。
【００８８】
図２４に示されるＳ１０１〜Ｓ１１１が実行されることで、右装飾体３５は初期回転位置まで回転する（図２７（ｃ）、（ｄ）参照）。右上昇センサ１２５はＯＮ状態であり（Ｓ１１５：ＹＥＳ）、右直動センサ６１はＯＦＦ状態であるので（Ｓ１１９：ＮＯ）、ＣＰＵ５８１は右直動復帰処理Ｂを実行する（Ｓ１２１）。図２６に示されるＳ１４１〜Ｓ１５１が実行されることで、右装飾体３５は離隔位置まで移動する（図２７（ｅ）参照）。ＣＰＵ５８１は、右直動復帰処理Ｂを終了し、右復帰処理を終了する。
【００８９】
＜右回転センサ８１がＯＮ、右昇降センサ１２４と右直動センサ６１がＯＦＦの場合＞
図２０、図２３、図２６、図２８を参照し、右装飾体３５が、初期回転位置に配置される一方で、作動位置と離隔位置には配置されていないときの右復帰処理を説明する。例えば図２８（ａ）に示すように、右装飾体３５は、離隔位置と接近位置との間にあり、作動位置よりも下方にある。
【００９０】
図２０で示すように、ＣＰＵ５８１は、右上昇センサ１２５がＯＦＦ状態であると判断し（Ｓ３１：ＮＯ）、右回転センサ８１がＯＮ状態であると判断し（Ｓ３３：ＹＥＳ）、右直動センサ６１がＯＦＦ状態であると判断し（Ｓ４１：ＮＯ）、右直動復帰処理Ｂを実行する（Ｓ４２）。尚、Ｓ４１はＳ３５と同様の処理である。
【００９１】
図２６で示されるＳ１４１〜Ｓ１５１が実行されることで、右装飾体３５は、離隔位置まで移動する（図２８（ａ）、（ｂ）参照）。図２０で示すように、ＣＰＵ５８１は、Ｓ４２の実行後、右昇降復帰処理を実行する（Ｓ４３）。図２３で示されるＳ７１〜Ｓ８５が実行されることで、右装飾体３５は、作動位置まで上昇する（図２８（ｂ）、（ｃ）参照）。右装飾体３５は初期回転位置にあるので（Ｓ８９：ＹＥＳ）、ＣＰＵ５８１は右直動センサ６１がＯＮ状態か否かを判断する（Ｓ９３）。Ｓ９３はＳ３５（図２０参照）と同様の処理である。右装飾体３５は離隔位置にあるので（Ｓ９３：ＹＥＳ）、ＣＰＵ５８１は右昇降復帰処理を終了し、右復帰処理を終了する。
【００９２】
＜右昇降センサ１２４がＯＦＦ、右回転センサ８１と右直動センサ６１がＯＮの場合＞
図２０、図２３、図２５、図２６、図２９を参照し、右装飾体３５が、初期回転位置と離隔位置に配置される一方で、作動位置に配置されていないときの右復帰処理を説明する。例えば図２９（ａ）に示すように、右装飾体３５は作動位置よりも下方にある。
【００９３】
図２０で示すように、ＣＰＵ５８１は、右上昇センサ１２５がＯＦＦ状態であると判断し（Ｓ３１：ＮＯ）、右回転センサ８１がＯＮ状態であると判断し（Ｓ３３：ＹＥＳ）、右直動センサ６１がＯＮ状態であると判断し（Ｓ４１：ＹＥＳ）、右直動復帰処理Ａを実行する（Ｓ４５）。
【００９４】
図２５で示すように、ＣＰＵ５８１はＳ１３１を実行することで、右装飾体３５は、離隔位置と接近位置との間まで移動する（図２９（ａ）、（ｂ）参照）。右昇降センサ１２４はＯＦＦ状態であるので（Ｓ１３３：ＮＯ）、ＣＰＵ５８１は右昇降復帰処理を実行する（Ｓ１３５）。図２３で示されるＳ７１〜Ｓ８５が実行されることで、右装飾体３５は下端位置まで落下した後に作動位置まで上昇する（図２９（ｃ）参照）。右回転センサ８１はＯＮ状態である（Ｓ８９：ＹＥＳ）。ＣＰＵ５８１は、右直動センサ６１がＯＮ状態であるか否かを判断する（Ｓ９３）。Ｓ９３はＳ３５（図２０参照）と同様の処理である。右直動センサ６１がＯＦＦ状態であるので（Ｓ９３：ＮＯ）、ＣＰＵ５８１は右直動復帰処理Ｂを実行する（Ｓ９５）。Ｓ９１はＳ１２１（図２４参照）と同様の処理である。図２６で示されるＳ１４１〜Ｓ１５１が実行されることで、右装飾体３５は離隔位置まで移動する（図２９（ｄ）参照）。ＣＰＵ５８１は、右直動復帰処理Ｂを終了し、右復帰処理を終了する。
【００９５】
＜右昇降センサ１２４がＯＮ、右回転センサ８１と右直動センサ６１がＯＦＦの場合＞
図２０、図２４、図２６、図３０を参照し、右装飾体３５が、作動位置に配置される一方で、初期回転位置と離隔位置に配置されていない時の右復帰処理を説明する。例えば図３０（ａ）に示すように、右装飾体３５は初期回転位置と作動回転位置との間に配置されると共に、離隔位置と接近位置との間に配置される（図３０（ａ）参照）。
【００９６】
図２０で示すように、ＣＰＵ５８１は、右昇降センサ１２４がＯＮ状態であると判断し（Ｓ３１：ＹＥＳ）、右回転センサ８１がＯＦＦ状態であると判断し（Ｓ４７：ＮＯ）、右直動センサ６１がＯＦＦ状態であると判断し（Ｓ４９：ＮＯ）、右回転復帰処理Ｂを実行する（Ｓ５１）。尚、Ｓ４７はＳ３３と同様の処理であり、Ｓ４９はＳ３５と同様の処理であり、Ｓ５１はＳ９１（図２３参照）と同様の処理である。
【００９７】
図２４で示されるＳ１０１〜Ｓ１１１が実行されることで、右装飾体３５は初期回転位置まで回転する（図３０（ａ）、（ｂ）参照）。右昇降センサ１２４はＯＮ状態であり（Ｓ１１５：ＹＥＳ）、右直動センサ６１はＯＦＦ状態である（Ｓ１１９：ＮＯ）。ＣＰＵ５８１は、右直動復帰処理Ｂを実行する（Ｓ１２１）。図２６で示されるＳ１４１〜Ｓ１５１が実行されることで、右装飾体３５は離隔位置まで移動する（図３０（ｂ）、（ｃ）参照）。ＣＰＵ５８１は、右直動復帰処理Ｂを終了し、右復帰処理を終了する。
【００９８】
＜右昇降センサ１２４と右直動センサ６１がＯＮ、右回転センサ８１がＯＦＦの場合＞
図２０、図２６、図２５、図３１を参照し、右装飾体３５が、作動位置と離隔位置に配置される一方で、初期回転位置に配置されていない時の右復帰処理を説明する。例えば図３１（ａ）に示すように、右装飾体３５は初期回転位置から約１０°ずれた位置に配置される。
【００９９】
図２０に示すように、ＣＰＵ５８１は、右昇降センサ１２４がＯＮ状態であると判断し（Ｓ３１：ＹＥＳ）、右回転センサ８１がＯＦＦ状態であると判断し（Ｓ４７：ＮＯ）、右直動センサ６１がＯＮ状態であると判断し（Ｓ４９：ＹＥＳ）、右直動復帰処理Ａを実行する（Ｓ５３）。尚、Ｓ５３はＳ４５と同様の処理である。
【０１００】
図２５で示されるＳ１３１が実行されることで、右装飾体３５は、接近位置と離隔位置との間まで移動する（図３１（ａ）、（ｂ）参照）。右昇降センサ１２４はＯＮ状態であり（Ｓ１３３：ＹＥＳ）、右回転センサ８１はＯＦＦ状態である（Ｓ１３７：ＮＯ）。尚、Ｓ１３７はＳ３３（図２０参照）と同様の処理である。ＣＰＵ５８１は、右回転復帰処理Ａを実行する（Ｓ１３９）。図２２で示されるＳ６１が実行されることで、本例では右装飾体３５は初期回転位置まで移動する（図３１（ｃ）参照）。右昇降センサ１２４はＯＮ状態であるので（Ｓ６３：ＹＥＳ）、ＣＰＵ５８１は右直動復帰処理Ｂを実行する（Ｓ６７）。Ｓ６７はＳ４２（図２０参照）と同様の処理である。図２６で示されるＳ１４１〜Ｓ１５１が実行されることで、右装飾体３５は離隔位置まで戻る（図３１（ｃ）、（ｄ）参照）。ＣＰＵ５８１は、右直動復帰処理Ｂを終了し、右復帰処理を終了する。
【０１０１】
＜右昇降センサ１２４と右回転センサ８１がＯＮ、右直動センサ６１がＯＦＦの場合＞
図２０、図２６、図３１（ｃ）、（ｄ）を参照し、右装飾体３５が、作動位置と初期回転位置に配置される一方で、離隔位置に配置されていないときの右復帰処理を説明する。例えば図３１（ｃ）に示すように、右装飾体３５は、接近位置と離隔位置との間に配置される。
【０１０２】
図２０で示すように、ＣＰＵ５８１は、右昇降センサ１２４がＯＮ状態であると判断し（Ｓ３１：ＹＥＳ）、右回転センサ８１がＯＮ状態であると判断し（Ｓ４７：ＹＥＳ）、右直動センサ６１がＯＦＦ状態であると判断し（Ｓ５５：ＮＯ）、右直動復帰処理Ｂを実行する（Ｓ５７）。尚、Ｓ５５はＳ３５と同様の処理であり、Ｓ５７はＳ４２と同様の処理である。
【０１０３】
図２６で示されるＳ１４１〜Ｓ１５１が実行されることで、右装飾体３５は、離隔位置まで移動する（図３１（ｃ）、（ｄ）参照）。ＣＰＵ５８１は、右直動復帰処理Ｂを終了し、右復帰処理を終了する。
【０１０４】
尚、図２０で示すように、右装飾体３５が初期状態にある状態で右復帰処理が開始された場合、ＣＰＵ５８１は、右昇降センサ１２４、右回転センサ８１、及び右直動センサ６１がそれぞれＯＮ状態であると判断し（Ｓ３１：ＹＥＳ、Ｓ４７：ＹＥＳ、Ｓ５５：ＹＥＳ）、右復帰処理を終了する。
【０１０５】
以上説明したように、下被検知物１０７は、右ラック１０５の上下動に伴い、右上昇センサ１２５に対して相対変位する。上被検知物１０４は、右昇降体１０２の上下動に伴い、右上昇センサ１２５に対して相対変位する。右昇降復帰処理において、ＣＰＵ５８１が右ソレノイド１５２を一時的にＯＮ状態にすることで（図２３のＳ７３）、右昇降体１０２は右ラック１０５が配置される下側に向けて落下する。その後、ＣＰＵ５８１が右昇降モータ１０３を逆転駆動することにより（Ｓ７５）、右昇降体１０２は右昇降体１０２を上方に付勢して押し上げる。ＣＰＵ５８１は、右昇降センサ１２４がＯＦＦ状態からＯＮ状態になるまで（Ｓ７７：ＮＯ）、右昇降モータ１０３を逆転駆動する。換言すると、ＣＰＵ５８１は、右落下センサ１２６と右上昇センサ１２５のそれぞれの検知結果に応じて、右昇降モータ１０３を駆動制御する。右ラック１０５と右昇降体１０２が、互いの位置関係が変わるように、独立的に上下動する場合でも、ＣＰＵ５８１は、右落下センサ１２６と右上昇センサ１２５の検知結果に基づいて右昇降モータ１０３を駆動制御する。よって、パチンコ機１は、右ラック１０５と右昇降体１０２とに対して正確な位置制御ができる。これにより、右ラック１０５と右昇降体１０２は、例えば中間位置と作動位置に正確に配置されることができる。
【０１０６】
右昇降体１０２に設けられた上被検知物１０４は、右上昇センサ１２５の上検知領域を通過可能である。これにより、右昇降体１０２の可動範囲を大きくできる。従って、右装飾体３５の動きがダイナミックになるので、演出装置３０の演出動作において、右装飾体３５を動作させる演出効果を向上できる。
【０１０７】
上被検知物１０４は、右落下センサ１２６の下検知領域を通過可能である。これにより、上被検知物１０４の可動範囲の少なくとも一部が、下被検知物１０７の可動範囲に含まれる。パチンコ機１は、スペースの有効活用を実現できる。この場合、右落下センサ１２６は、上被検知物１０４と下被検知物１０７のいずれをも被検知物として検知するが、本例では、ＣＰＵ５８１は、右落下センサ１２６と右上昇センサ１２５の両方の検知結果に基づき、右昇降モータ１０３を駆動制御する（Ｓ７５〜Ｓ８３）。従って、パチンコ機１は、スペースの有効活用を実現しつつ、右ラック１０５と右昇降体１０２に対して正確な位置制御を実行できる。また、本実施形態では、右ラック１０５の可動範囲の一部が、と右昇降体１０２の可動範囲に含まれる。それだけでなく、右ラック１０５は下検知領域を上下方向に通過可能であり、右ラック１０５の可動範囲の一部は、下検知領域に含まれる。さらに、右昇降体１０２は、下検知領域と上検知領域を上下方向に通過可能であり、右昇降体１０２の可動範囲の一部は、下検知領域と上検知領域とに含まれる。以上より、パチンコ機１は、スペースの更なる有効活用を実現できる。
【０１０８】
ＣＰＵ５８１は、右回転復帰処理Ａにおいて（図２２参照）、右昇降センサ１２４がＯＦＦ状態である場合に（Ｓ６３：ＮＯ）、右昇降復帰処理を実行し（Ｓ６５）、右ソレノイド１５２を駆動制御する（図２３のＳ７３）。換言すると、ＣＰＵ５８１は、右落下センサ１２６と右上昇センサ１２５の検知結果に基づき、右ソレノイド１５２を駆動制御する。ロック位置にある右ロック部材１５７が右昇降体１０２の落下を規制することで、右昇降体１０２と右ラック１０５との位置関係がずれるが（図２３のＳ７１参照）、この場合でも、ＣＰＵ５８１は、右落下センサ１２６と右上昇センサ１２５の検知結果に基づき、右昇降モータ１０３を駆動制御する（Ｓ７５〜Ｓ８５）。よって、パチンコ機１は、右ラック１０５と右昇降体１０２に対して正確な位置制御を実行できる。
【０１０９】
作動位置にある右昇降体１０２は、ロック位置にある右ロック部材１５７によって、下方への移動を規制される。このとき、右昇降体１０２と右装飾体３５の自重により、ロック位置にある右ロック部材１５７が下方に付勢され、当接部１５７Ｄが位置決め部１５９Ａを右方に撓ませる場合がある。この場合、右ロック部材１５７がロック位置からずれる結果、右ロック部材１５７と右昇降体１０２の接触位置は下方に僅かに変位する。そのため、右昇降体１０２と右装飾体３５は、作動位置から僅かに下方にずれてしまう。しかしながら、本実施形態では、右昇降復帰処理（図２３参照）において、右ラック１０５が、右昇降体１０２を押し上げて、右昇降体１０２を支持する状態で停止する（Ｓ７５〜Ｓ８３）。よって、右昇降体１０２等の自重に起因する、右ロック部材１５７に作用する力は低減する。故に、パチンコ機１は、右昇降体１０２と右装飾体３５の正確な位置制御を実行し易い。また、右ラック１０５と右昇降体１０２が下検知領域と上検知領域に進入してから、右昇降モータ１０３が１５パルス分さらに逆転することで、右ラック１０５と右昇降体１０２は中間位置と作動位置に到達する。従って、右ラック１０５と右昇降体１０２が中間位置と作動位置から下方にずれる場合があっても、右ラック１０５と右昇降体１０２がそれぞれ下検知領域と上検知領域から外れにくい。よって、ＣＰＵ５８１が右ラック１０５と右昇降体１０２の上下方向位置を認識できなくなるという事は起こりにくい。
【０１１０】
以上説明にて、パチンコ機１は本発明の「遊技機」の一例である。右移動部材６８は本発明の「支持体」の一例である。右昇降モータ１０３は本発明の「駆動手段」の一例である。右ラック１０５は本発明の「第一可動体」の一例である。右昇降体１０２は本発明の「第二可動体」の一例である。下被検知物１０７は本発明の「第一被検知物」の一例である。右落下センサ１２６は本発明の「第一検知手段」の一例である。上被検知物１０４は本発明の「第二被検知物」の一例である。右上昇センサ１２５は本発明の「第二検知手段」の一例である。右ロック部材１５７は本発明の「ロック部材」の一例である。右ソレノイド１５２は本発明の「ロック駆動手段」の一例である。Ｓ７１、Ｓ７３、Ｓ７５、Ｓ８３を実行するＣＰＵ５８１は本発明の「制御手段」の一例である。
【０１１１】
本発明は上記実施例に限定されない。右装飾体３５は前後方向に移動してもよい。右移動部材６８は、例えば上下方向に移動可能であってもよいし、遊技盤２に固定されていてもよい。下被検知物１０７と上被検知物１０４は、それぞれ右ラック１０５と右昇降体１０２とは別体の部材であってもよい。
【０１１２】
右ラック１０５は、凸部１０５Ｄ（図１１参照）を備えなくてもよい。この場合、右ラック１０５と別体の所定部材が、右ラック１０５の上端部に固定されてもよい。所定部材は、例えば樹脂部材によって形成された直方体状である。右ラック１０５は最下位位置から上昇するとき、所定部材を介して間接的に右昇降体１０２を上方に付勢して押し上げる。
【０１１３】
右落下センサ１２６は右ラック１０５に設けられてもよい。この場合、下被検知物１０７は右移動部材６８に設けられる。右上昇センサ１２５は、右昇降体１０２に設けられてもよい。この場合、上被検知物１０４は、右移動部材６８に設けられる。上記のような構成であっても、右落下センサ１２６と右上昇センサ１２５の検知結果に基づき、ＣＰＵ５８１は右昇降モータ１０３を駆動制御し、右落下センサ１２６と右上昇センサ１２５の上下方向位置を正確に制御できる。
【０１１４】
パチンコ機１は、図１０で示される右昇降機構１００に代えて、図３２で示される駆動機構２００を備えていてもよい。駆動機構２００は、例えば遊技盤２に固定される。駆動機構２００は、支持体２０１、駆動手段２０２、第一可動体２１１、第二可動体２１２、弾性部材２０４、及び接触部材２０３を備える。
【０１１５】
支持体２０１は、左右方向に延びる筒状であり、一例として透光性を有する樹脂材料によって形成される。支持体２０１は、内部に、駆動手段２０２、第一可動体２１１、第二可動体２１２、弾性部材２０４、及び接触部材２０３を収容する。駆動手段２０２は、支持体２０１の内壁の左端に固定されたソレノイドであり、ＣＰＵ５８１（図１３参照）によって駆動制御される。駆動手段２０２の可動部２０２Ａは、左右方向に延びる棒状である。第一可動体２１１は、可動部２０２Ａの右端部に固定された円板体である。駆動手段２０２が駆動すると、可動部２０２Ａと第一可動体２１１は一体的に左右動する。第二可動体２１２は、支持体２０１内部で左右動自在に設けられた円板体であり、第一可動体２１１よりも右側に配置される。
【０１１６】
弾性部材２０４は、支持体２０１の内壁の右端に設けられる。弾性部材２０４は、左右方向に弾性変形可能な部材であり、一例としてコイルバネである。接触部材２０３は、弾性部材２０４の左端に固定された円板体である。接触部材２０３は、第二可動体２１２よりも右側に配置される。
【０１１７】
駆動機構２００は、更に、第一検知手段２２１と第二検知手段２２２を備える。第一検知手段２２１と第二検知手段２２２は、支持体２０１の外周面に設けられており、左方から順に並ぶ。第一検知手段２２１と第二検知手段２２２は、一例として光学式の反射型センサであり、ランプドライバ基板４６（図１３参照）に電気的に接続する（図１３参照）。第一検知手段２２１と第二検知手段２２２のそれぞれから下方に放たれる光は、支持体２０１の内部に進入可能である。つまり、第一検知手段２２１と第二検知手段２２２はそれぞれ、下方にある支持体２０１の内部の空間を検知領域とする。
【０１１８】
第一可動体２１１は、左右動に伴って第一検知手段２２１の下方を通過する。第一可動体２１１は、第一検知手段２２１の下方にあるとき、第一検知手段２２１から放たれる光を、上方に反射する。第二可動体２１２は、左右動に伴って第一検知手段２２１の下方と第二検知手段２２２の下方とを通過する。第二可動体２１２は、第一検知手段２２１の下方にあるとき、第一検知手段２２１から放たれる光を上方に反射し、第二検知手段２２２の下方にあるとき、第二検知手段２２２から放たれる光を上方に反射する。第一検知手段２２１と第二検知手段２２２はそれぞれ、上方に向けて反射される光を受信した場合にＯＮ状態となり、光を受信しない場合にＯＦＦ状態となる。
【０１１９】
駆動機構２００の動作を説明する。図３２（ａ）で示される状態が、駆動機構２００の初期状態であり、第一可動体２１１と第二可動体２１２は、第一検知手段２２１よりも左方となる左右方向位置にある。第一可動体２１１と第二可動体２１２は互いに接触する。ＣＰＵ５８１が駆動手段２０２をＯＮ状態にすることで、駆動機構２００は動作を開始する。可動部２０２Ａと第一可動体２１１は右方に移動する（図３２（ａ）矢印Ｍ）。第二可動体２１２は第一可動体２１１に直接的に付勢されて右方に移動する。これにより、第一可動体２１１と第二可動体２１２は、第一検知手段２２１の下方を通過する。ＣＰＵ５８１は、第一検知手段２２１が２回に亘ってＯＮ状態になったか否かを判断することで、第一可動体２１１と第二可動体２１２が正常に右方に移動したか否かを判断できる。
【０１２０】
可動部２０２Ａが可動範囲右端に到達したとき、第一可動体２１１は、第一検知手段２２１と第二検知手段２２２の間で停止する（図３２（ｂ）参照）。その後、第二可動体２１２は、第一可動体２１１から右方に離れ、第二検知手段２２２の下方を通過する（図３２（ｂ）参照）。第二検知手段２２２がＯＮ状態に切り替わったとき、ＣＰＵ５８１は駆動手段２０２をＯＦＦ状態にし、可動部２０２Ａと第一可動体２１１は可動範囲左端まで復帰する（図３２（ｃ））。第二検知手段２２２下方を通過した第二可動体２１２は、接触部材２０３を介して弾性部材２０４を付勢しながら右方に移動する。第二可動体２１２は停止する（図３２（ｃ）参照）。第二可動体２１２は、弾性部材２０４によって第一可動体２１１に向けて移動する（図３２（ｃ）の矢印Ｌ）。第二可動体２１２は可動範囲左端（つまり第一可動体２１１と接触する位置）まで復帰する。正常に復帰する第二可動体２１２は、第二検知手段２２２の下方と第一検知手段２２１の下方を順に通過する。第二検知手段２２２と第一検知手段２２１が順にＯＮ状態になったか否かを判断することで、ＣＰＵ５８１は、駆動手段２０２が正常に駆動したか否かを判断できる。
【０１２１】
上記変形例においても、第一可動体２１１と第二可動体２１２がそれぞれ動作する場合でも、ＣＰＵ５８１が第一検知手段２２１と第二検知手段２２２の検知結果に基づいて駆動手段２０２を制御するので、パチンコ機１は、第一可動体２１１と第二可動体２１２とに対して正確な位置制御を実行できる。
【０１２２】
尚、請求項、明細書および図面に記載される全ての要素（例えば、大入賞口、第一特別図柄始動電動役物１４等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。 
【０１２３】
更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【０１２４】
１        パチンコ機
６８      右移動部材
１０２    右昇降体
１０３    右昇降モータ
１０４    上被検知物
１０５    右ラック
１０７    下被検知物
１２５    右上昇センサ
１２６    右落下センサ
１５２    右ソレノイド
１５７    右ロック部材
２０１    支持体
２０２    駆動手段
２１１    第一可動体
２１２    第二可動体
２２１    第一検知手段
２２２    第二検知手段
５８１    ＣＰＵ
【図１】
2019122431.tif 000003
【図２】
2019122431.tif 000004
【図３】
2019122431.tif 000005
【図４】
2019122431.tif 000006
【図５】
2019122431.tif 000007
【図６】
2019122431.tif 000008
【図７】
2019122431.tif 000009
【図８】
2019122431.tif 000010
【図９】
2019122431.tif 000011
【図１０】
2019122431.tif 000012
【図１１】
2019122431.tif 000013
【図１２】
2019122431.tif 000014
【図１３】
2019122431.tif 000015
【図１４】
2019122431.tif 000016
【図１５】
2019122431.tif 000017
【図１６】
2019122431.tif 000018
【図１７】
2019122431.tif 000019
【図１８】
2019122431.tif 000020
【図１９】
2019122431.tif 000021
【図２０】
2019122431.tif 000022
【図２１】
2019122431.tif 000023
【図２２】
2019122431.tif 000024
【図２３】
2019122431.tif 000025
【図２４】
2019122431.tif 000026
【図２５】
2019122431.tif 000027
【図２６】
2019122431.tif 000028
【図２７】
2019122431.tif 000029
【図２８】
2019122431.tif 000030
【図２９】
2019122431.tif 000031
【図３０】
2019122431.tif 000032
【図３１】
2019122431.tif 000033
【図３２】
2019122431.tif 000034